(57)【要約】      （修正有）【課題】祭礼用の網や網引き用の網などを水平に巻き取ることができる網巻き取り機を提供する。【解決手段】スピン４を支持する本体にベアリング３を設け、スピンの中心部に網固定がイドピン９を設け、スピンを回転可能に支持するコ型の本体を有し、本体のスピンと反対側にラバークッションを設け、本体下部にキャスターとストッパーを設ける。【選択図】図１
0003177849.tif 000002
【実用新案登録請求の範囲】
【請求項１】
本体側面にラバークッションを取り付けし水平状態に保ちスピンを回転させることにより綱を巻き取ることができ垂直状態でも綱を巻き取れスピンストッパーによりスピンの不要な回転を防止しつつ綱固定ガイドにより綱を固定し、ベアリングをスピン両端に設置することにより円滑に綱を巻き取れ、キャスターとスムースハンドルにより容易に移動せることの出来る特徴を持つ綱巻取り機。
【考案の詳細な説明】
【技術分野】
【０００１】  本考案は、祭礼用の綱や綱引き用の綱などを巻き取る綱巻き取り機に関するものである。
【背景技術】
【０００２】  祭礼用の綱や綱引き用の綱を巻き取る場合、垂直状態で巻き取るしかなく軸受けが片方のみによるブレが生じて安定性がなく綱を均一に巻き取ることが出来なかった。
【考案の概要】
【考案が解決しようとする課題】
【０００３】従来の綱巻取り機は、構造上水平に綱を巻き取ることが出来ず綱を巻付けるターンの支持も下部１点支持で、支持部もオイルレスメタル軸受けであり、軸がぶれることにより綱の巻取りが不均一な巻取りになり力も必要である。本体移動に際しても、重量があるため移動させずらく巻き取った綱が解ける場合がある。
【課題を解決するための手段】
【０００４】本考案は、綱巻取り機を側面に取り付けたラバークッションにより地面に対して滑りを防止し水平状態で安定して巻ける。軸受けを両端に設け高精度ベアリングを使用することによりオイルレスメタル軸受けに対しターンの回転が安定することにより円滑に巻き取れる。本体にキャスターをつけることにより移動させやすくする。
ターンに綱固定ガイドピンを取り付けることにより綱の先端部を容易に固定でき綱のはずれを防止する。
上部にハンドルを取り付けることにより移動時に正立させやすくする。
ターンの回転を抑止するストッパーを取り付ける。
【考案の効果】
【０００５】上述のように、綱巻取り機に高精度ベアリングを両端に使用しターンを水平状態に保ち、側面に取り付けたラバークッションにより本体をそのまま地面に置いて使用するよりも本体のずれを予防し綱を巻くことが出来るようになることにより直径４０ｍｍ綱の場合、１００メートル巻き取ることが出来、従来機の１０％程度長く巻き取ることが可能になる。また、オイルレスメタル軸受けは、定期的な注油メンテナンスも必要だが、自動車用高精度ベアリングを使用することによる耐久性の向上により問題点を解決している。
本体に底部に４点支持キャスターと本体上部に取り付けたハンドルにより移動をたやすくしている。また、不意のスピンの回転を防止するためにスピンストッパーを設けてあり移動時や巻取り時に綱がずれたりするのを防止する。
【図面の簡単な説明】
【０００６】
【図１】本考案の綱巻取機の斜視図である。
【考案を実施するための形態】
【０００７】綱巻取り機のスピンにある綱固定ガイドピンに綱を固定させ綱を巻き取る。本体は、垂直状態水平状態いずれでも、綱を巻き取ることが出来、水平状態で使用するには本体側面に取り付けられているラバークッションを地面に接地させ使用する。また、スピンの回転を防止するためのスピンストッパーはダイヤルをねじ込んでスピンをロックさせ緩めて開放する。
【実施例】
【０００８】以下、添付図面に従って一実施例を説明する。８はステンレス製の巻取り機本体で、４は綱を巻き取るためのスピン、９は巻き取る綱を固定させる綱固定ガイドピン、２はスピンの回転を制御するスピンストッパーである。【０００９】また、２アラウンドベアリングを４スピン両端に使用し４スピンの円滑な回転を得ることが出来る。【００１０】また、本体側面に取り付けた５アラウンドクッション使用し地面に本体を水平に静止させた状態で４スピンを回転させ綱を巻き取る事が出来る。【００１１】また、１スムースハンドルと６キャスター７ストップキャスターを使用することにより容易に本体を移動することが出来る。
【符号の説明】
【００１２】１  スムースハンドル
２  スピンストッパー
３  アラウンドベアリング
４  スピン
５  アラウンドクッション
６  キャスター
７  ストップキャスター
８  ターン支持部本体
９  綱固定ガイドピン
【図１】
0003177849.tif 000003
【手続補正書】
【提出日】平成24年5月29日(2012.5.29)
【手続補正１】
【補正対象書類名】実用新案登録請求の範囲
【補正対象項目名】全文
【補正方法】変更
【補正の内容】
【実用新案登録請求の範囲】
【請求項１】
スピンを支持する本体にベアリングを設け、スピンの中心部に綱固定ガイドピンを設け、スピンを回転可能に支持するコ型の本体を有しコ型の本体のスピンと反対側にラバークッションを設け、コ型の本体の下部にキャスターを設けスピンの回転を止めるストッパーを設けたことを特徴とする綱巻き取り機。
【手続補正２】
【補正対象書類名】明細書
【補正対象項目名】全文
【補正方法】変更
【補正の内容】
【考案の詳細な説明】
【技術分野】
【０００１】本考案は、祭礼用の綱や綱引き用の綱などを巻き取る綱巻き取り機に関するものである。
【背景技術】
【０００２】祭礼用の綱や綱引き用の綱を巻き取る場合、垂直状態で巻き取るしかなく軸受けが片方のみによるブレが生じて安定性がなく綱を均一に巻き取ることが出来なかった。
【考案の概要】
【考案が解決しようとする課題】
【０００３】従来の綱巻取り機は、構造上水平に綱を巻き取ることが出来ず綱を巻付けるスピンの支持も下部１点支持で、支持部もオイルレスメタル軸受けであり、軸がぶれることにより綱の巻取りが不均一な巻取りになり力も必要である。本体移動に際しても、重量があるため移動させずらく巻き取った綱が解ける場合がある。
【課題を解決するための手段】
【０００４】本考案は、綱巻取り機を側面に取り付けたアラウンドクッションにより地面に対して滑りを防止し水平状態で安定して巻ける。軸受けを両端に設けベアリングを使用することによりオイルレスメタル軸受けに対しスピンの回転が安定することにより円滑に巻き取れる。本体にキャスターをつけることにより移動させやすくする。スピンに綱固定ガイドピンを取り付けることにより綱の先端部を容易に固定でき綱のはずれを防止する。上部にスムースハンドルを取り付けることにより移動時に正立させやすくする。スピンの回転を抑止するスピンストッパーを取り付ける。
【考案の効果】
【０００５】上述のように、綱巻取り機にベアリングを両端に使用しスピンを水平状態に保ち、側面に取り付けたアラウンドクッションにより本体をそのまま地面に置いて使用するよりも本体のずれを予防し綱を巻くことが出来るようになることにより直径４０ｍｍ綱の場合、１００メートル巻き取ることが出来、従来機の１０％程度長く巻き取ることが可能になる。また、オイルレスメタル軸受けは、定期的な注油メンテナンスも必要だが、自動車用ベアリングを使用することによる耐久性の向上により問題点を解決している。本体に底部に４点支持キャスターと本体上部に取り付けたスムースハンドルにより移動をたやすくしている。また、不意のスピンの回転を防止するためにスピンストッパーを設けてあり移動時や巻取り時に綱がずれたりするのを防止する。
【図面の簡単な説明】
【０００６】
【図１】本考案の綱巻取機の斜視図である。
【考案を実施するための形態】
【０００７】綱巻取り機のスピンにある綱固定ガイドピンに綱を固定させ綱を巻き取る。本体は、垂直状態水平状態いずれでも、綱を巻き取ることが出来、水平状態で使用するには本体側面に取り付けられているアラウンドクッションを地面に接地させ使用する。また、スピンの回転を防止するためのスピンストッパーはダイヤルをねじ込んでスピンをロックさせ緩めて開放する。
【実施例】
【０００８】以下、添付図面に従って一実施例を説明する。８はステンレス製のターン支持部本体、１０は台座でターン支持部本体と台座により本体を形成する。４は綱を巻き取るためのスピン、９は巻き取る綱を固定させる綱固定ガイドピン、２はスピンの回転を制御するスピンストッパーである。【０００９】また、アラウンドベアリング２をスピン４両端に使用しスピン４の円滑な回転を得ることが出来る。【００１０】また、本体側面に取り付けたアラウンドクッション５を使用し地面に本体を水平に静止させた状態でスピン４を回転させ綱を巻き取る事が出来る。【００１１】また、スムースハンドル１とキャスター６ストップキャスター７を使用することにより容易に本体を移動することが出来る。
【符号の説明】
【００１２】１    スムースハンドル２    スピンストッパー３    アラウンドベアリング４    スピン５    アラウンドクッション６    キャスター７    ストップキャスター８    ターン支持部本体９    綱固定ガイドピン１０  台座
【手続補正３】
【補正対象書類名】図面
【補正対象項目名】全図
【補正方法】変更
【補正の内容】
【図１】
0003177849.tif 000004